(57)【特許請求の範囲】
【請求項１】
燃焼機を制御する制御ユニットと種々の信号を授受可能なリモコンに、音声を入力する入力手段と、音声信号の記憶部と比較判別部とを含む音声認識手段とを設け、前記記憶部に少なくとも火災報知器の警告音、ガス漏れ警報器の警告音、ドアホンの音、電話の呼出し音のうちから選択される複数種の音声を登録して記憶可能に構成し、
前記リモコンにリモコン側又は燃焼機側で実行可能な複数種の対応制御の制御プログラムを予め格納した記憶手段を設け、
前記リモコンに前記の各登録音声に相当する音声の入力時にリモコン側又は燃焼機側で行う１又は複数の対応制御をユーザーが設定できるように構成した、
ことを特徴とする燃焼機の制御システム。
【請求項２】
燃焼機を制御する制御ユニットに、音声信号の記憶部と比較判別部とを含む音声認識手段を設け、
前記制御ユニットと種々の信号を授受可能なリモコンに、音声を入力する入力手段とを設け、
前記リモコンを介して前記音声認識手段の記憶部に、少なくとも火災報知器の警告音、ガス漏れ警報器の警告音、ドアホンの音、電話の呼出し音のうちから選択される複数種の音声を登録して記憶可能に構成し、
前記制御ユニットにリモコン側又は燃焼機側で実行可能な複数種の対応制御の制御プログラムを予め格納した記憶手段を設け、
前記リモコンを介して前記の各登録音声に相当する音声の入力時にリモコン側又は燃焼機側で行う１又は複数の対応制御をユーザーが前記制御ユニットに設定できるように構成した、
ことを特徴とする燃焼機の制御システム。
【請求項３】
前記複数種の対応制御は、火災報知器の警告音がリモコンを介して前記制御ユニットに入力された際の対応制御として、前記制御ユニットが燃焼機のファンを作動させ且つファン以外の燃焼機の運転を停止させる制御を含むことを特徴とする請求項１又は２に記載の燃焼機の制御システム。
【請求項４】
前記複数種の対応制御は、前記ガス漏れ警報器の警告音がリモコンを介して前記制御ユニットに入力された際の対応制御として、その制御ユニットが燃焼機の運転を停止させる制御を含むことを特徴とする請求項１又は２に記載の燃焼機の制御システム。
【発明の詳細な説明】
【０００１】
【発明の属する技術分野】
本発明は、台所や風呂に給湯する燃焼機の制御システムに関し、特に火災報知器の警告音やガス漏れ警報器の警告音などの種々の音声を登録して記憶させ、その登録音声に相当する音声が入力された際に予めユーザーが設定した対応制御をリモコン側又は燃焼機側で行うようにしたものに関する。
【０００２】
【従来の技術】
従来、台所や風呂に給湯する燃焼機は、屋内設置型のもの屋外設置型のものがある。燃焼機を制御する制御ユニットは燃焼機のケーシング内に設けてあるが、台所や風呂に給湯する燃焼機の場合、通常台所から燃焼機を遠隔操作するリモコンと、浴室から燃焼機を遠隔操作するリモコンとが設けられている。これらリモコンは、運転オン、オフ、湯温設定、制御モード（自動湯張り等）設定などの指令を出せるだけである。この他に、リモコンには燃焼やその他状態を表示する複数の表示装置も設けられている。
【０００３】
ところで、台所の天井付近に、ガス漏れを検知するガス漏れ警報器や火災発生を検知する火災報知器を設ける場合があるが、これらガス漏れ警報器や火災報知器は燃焼機とは無関係に設置されており、ガス漏れ警報器によりガス漏れが検知されても何ら連動して作動することはないし、火災報知器により火災が検知されても何ら連動して作動することはない。
【０００４】
【発明が解決しようとする課題】
従来の燃焼機は、ガス漏れ警報器や火災報知器と何ら連動するように構成されていないので、ガス漏れ警報器がガス漏れを検知した場合や、火災報知器が火災の発生を検知た場合に、燃焼機の元ガス弁を閉弁させるとか、燃焼機の運転を停止させるとかの制御を実行させることはできなかった。そこで、ガス漏れ警報器や火災報知器と燃焼機の制御ユニットとを信号線にて接続して信号を授受するように構成し、ガス漏れを検知した場合や火災発生を検知した場合に、燃焼機において必要な制御を行うように構成することも不可能ではない。
【０００５】
しかし、この場合、ガス漏れ警報器や火災報知器のメーカーと燃焼機のメーカーが異なる上、それらのメーカーも複数あるため、ガス漏れ警報器や火災報知器と燃焼機との間で信号の授受を行い得るように構成することは容易ではないし、燃焼機の制御ユニットの回路や制御ソフトウェアが複雑化し、汎用性のある燃焼機にすることも難しく、製作費も高価になる。
【０００６】
また、従来の燃焼機のリモコンは、音声を入力する機能を備えていないので、台所や浴室で聞こえる音声をリモコンで検知してその音声を燃焼機の制御に有効活用することはできなかった。そのため、入浴中の人にドアホンの音や電話機の呼出し音を報知することもできなかった。
【０００７】
本発明の目的は、予め登録した音声によって燃焼機やリモコンに種々の制御を実行させ得る燃焼機の制御システム、多数のユーザーに適した汎用性に優れる燃焼機の制御システム、ガス漏れ発生や火災発生の際に燃焼機の安全性を高め得る制御システムを提供することである。
【０００８】
【課題を解決するための手段】
請求項１の燃焼機の制御システムは、燃焼機を制御する制御ユニットと種々の信号を授受可能なリモコンに、音声を入力する入力手段と、音声信号の記憶部と比較判別部とを含む音声認識手段とを設け、前記記憶部に少なくとも火災報知器の警告音、ガス漏れ警報器の警告音、ドアホンの音、電話の呼出し音のうちから選択される複数種の音声を登録して記憶可能に構成し、前記リモコンにリモコン側又は燃焼機側で実行可能な複数種の対応制御の制御プログラムを予め格納した記憶手段を設け、前記リモコンに前記の各登録音声に相当する音声の入力時にリモコン側又は燃焼機側で行う１又は複数の対応制御をユーザーが設定できるように構成したものである。
リモコンには、リモコン側又は燃焼機側で実行可能な複数種の対応制御の制御プログラムが予め格納され、ユーザーはリモコンの入力手段から予め、少なくともガス漏れ警報器や火災報知器の警告音、ドアホンの音、電話機の呼出し音のうちから選択される複数種の音声を入力し、その複数種の音声をリモコンに登録して音声認識手段の記憶部に記憶させる。
【０００９】
その後、リモコンの入力手段が音声を入力する毎に、音声認識手段の比較判別部は、入力された音声が記憶部に記憶している登録された音声と比較して登録音声に相当する音声であるか否か比較判別する。また、音声の登録時に、その登録音声に対応する対応制御であってリモコン側や燃焼機側で行う１又は複数の対応制御を予め設定しておくため、その後、登録音声に相当する音声の入力時に、前記の対応制御を自動的に実行させることができる。
【００１０】
ここで、前記の各登録音声に相当する音声の入力時にリモコン側又は燃焼機側で行う対応制御をユーザーが設定できるように構成したため、ユーザーの個々の状況に適した対応制御を予め設定することができるから、多数のユーザーに適合させ易い汎用性に優れたものとなる。しかも、記憶部と比較判別部とを含む音声認識手段と、複数種の対応制御の制御プログラムを格納した記憶手段などの音声機能に関連する部分をリモコンに装備するため、既存の燃焼機にも適用可能で汎用性に優れる。
【００１１】
請求項２の燃焼機の制御システムは、燃焼機を制御する制御ユニットに、音声信号の記憶部と比較判別部とを含む音声認識手段と、制御プログラムを格納した記憶手段を設け、前記制御ユニットと種々の信号を授受可能なリモコンに、音声を入力する入力手段とを設け、前記リモコンを介してユーザーにより前記音声認識手段の記憶部に、少なくともガス漏れ警報器や火災報知器の警告音、ドアホンの音、電話機の呼出し音のうちから選択される複数種の音声を登録して記憶可能に構成したものである。
【００１２】
請求項１では、リモコンに音声認識手段と記憶手段を設けたが、この制御システムでは、燃焼機を制御する制御ユニットに、音声認識手段と記憶手段を設けた点で請求項１と相違しているけれども、請求項１の制御システムとほぼ同様の機能を奏する。音声の登録の際には、リモコンの入力手段から音声を入力して、音声認識手段の記憶部に記憶させる。その後、リモコンの入力手段から入力された音声は、音声認識手段の比較判別部により登録音声に相当する音声か否か比較判別されることになる。
【００１３】
ここで、前記の各登録音声に相当する音声の入力時にリモコン側又は燃焼機側で行う対応制御をユーザーが設定できるように構成したので、請求項１と同様に、ユーザーの個々の状況に適した対応制御を設定することができるから、多数のユーザーに適した汎用性に優れたものとなる。
【００１４】
また、前記火災報知器の警告音がリモコンを介して前記制御ユニットに入力された際の対応制御として、前記制御ユニットが燃焼機のファンを作動させ且つファン以外の燃焼機の運転を停止させる制御を含むように構成した場合（請求項６）には、火災検知時に燃焼機のファンを作動させて屋内の煙を屋外へ排出させることができる。また、ファン以外の燃焼機の運転を停止させるため、燃焼機側のガスで火災が悪化するのを防止できる。
【００１５】
また、前記ガス漏れ警報器の警告音がリモコンを介して前記制御ユニットに入力された際の対応制御として、その制御ユニットが燃焼機の運転を停止させる制御を含むように構成した場合（請求項７）には、ガス漏れ検知時に、燃焼機の運転を停止させて、燃焼機から一層のガス漏れが生じるのを確実に防止することができる。
【００１６】
【発明の実施の形態】
以下、本発明の実施の形態について図面を参照して説明する。図１に示すように、台所と風呂に給湯する燃焼機１は、例えば屋内設置屋外排気型のものであり、この燃焼機１を制御する制御システムは、燃焼機１のケース内に設けられた制御ユニット２、台所から燃焼機１を遠隔操作するリモコン３、浴室内から燃焼機１を遠隔操作するリモコン４、門の付近やドアの外側付近のドアホン５、屋内の適所に設けられたガス漏れ警報器６及び火災報知器７、電話機８などで構成されている。
【００１７】
図２に示すように、制御ユニット２は、燃焼機１を制御する燃焼機制御部１０と、音声機能制御部２０とを有する。この音声機能制御部２０は、演算処理部２１、種々の制御プログラムを格納したプログラム記憶部２２、ユーザーにより登録された複数種の音声のディジタル音声信号を記憶する音声信号記憶部２３、演算処理に必要なワークメモリ類が設けられるワークメモリ部２４、音声信号入出力部２５を含む入出力インターフェイス２６などを備えている。このインターフェイス２６には、リモコン３，４が接続されている。
【００１８】
前記リモコン３，４は同様のものであるので、リモコン３について説明する。図３に示すように、リモコン３は、マイクロコンピュータ３０、ディスプレイ３１及びディスプレイコントローラ３２、音声信号入出力部３３を含む入出力インターフェイス３４、マイクロホン３５及びこのマイクロホン３５が検出した音声をディジタル音声信号に変換する音声コーディック部３６、ディジタル音声信号をアナログ音声信号に変換する音声デコーディック部３７、そのアナログ音声信号を増幅するアンプ３８、このアンプ３８に接続されたスピーカー３９、操作部４０などを備えている。
【００１９】
前記制御ユニット２の燃焼機制御部１０は、ＣＰＵとＲＯＭとＲＡＭとを含むマイクロコンピュータと、入出力インターフェイスと、ファン駆動用モータを駆動制御する駆動制御部と、バルブ類を駆動する複数の駆動回路などを備えている。この燃焼機制御部１０は、燃焼機１に装備された種々のセンサ類からの検出信号とリモコン３，４からの種々の指令信号をうけ、燃焼機１の複数の制御対象の機器を制御する。
【００２０】
この複数の制御対象の機器には、元ガス電磁弁１１、ガス比例弁、水調整弁、ファン駆動モータ１２、リモコン３，４の表示灯やディスプレイ３１も含まれている。マイクロコンピュータのＲＯＭには、前記の種々の検出信号や指令信号に基づいて制御対象機器を制御する制御プログラムが予め入力格納されている。この燃焼機１自体の制御に関しては、通常の燃焼機の制御とほぼ同様であるので、その説明は省略する。
【００２１】
本願の燃焼機の制御システムは、ユーザーが複数種の音声をリモコン３又はリモコン４を介して制御ユニット２に予め登録して記憶させておき、同時に、その音声の登録時にリモコン３，４側又は燃焼機１側で行う対応制御を設定しておき、その登録してある音声に相当する音声がリモコン３，４を介して検出されたときに、その音声に対応する対応制御を自動的に実行するように構成されており、この構成がこの制御システム特有のものである。
【００２２】
前記音声機能制御部２０の音声信号記憶部２３には、リモコン３又はリモコン４を介してユーザーが入力して登録した複数種（複数組）の音声のディジタル音声信号が格納されており、ユーザーは適時音声の登録を追加することも可能である。この音声信号記憶部２３は２次電池によりバックアップされたＲＡＭからなる。尚、音声信号記憶部２３に登録して記憶している音声を登録音声という。
【００２３】
前記のように登録する音声の例としては、例えば、図４に示すように、ガス漏れ警報器６の警告音、火災報知器７の警告音、電話機８の呼出し音、ドアホン５の音声、その他の音声などがあり、老人のいる家庭では老人用ペンダントから発する報知音、赤ん坊のいる家庭では赤ん坊の泣き声、なども登録の対象となる。前記の登録対象の音声は、以上列挙したものに限定される訳ではないが、登録対象の音声はリモコン３又はリモコン４のマイクロホンで検出できる音声である。尚、本願において、音声とは人の口から発する音に限るものではなく、種々の音を含む。
【００２４】
何れかの登録音声に対応付けて実行できるように、予め格納されている複数の対応制御は、例えば図５に例示するとおりであり、燃焼機１側又はリモコン３，４側で実行可能なものである。（ａ）〜（ｕ）の制御の各々が１つの対応制御であり、１種（１組）の登録音声に対応付けて１又は複数の対応制御を設定できるようになっている。尚、図５には図示していないが、リモコン３，４は音声を出力する機能を有するので、対応制御として、種々の合成音のメッセージを出力させることもできる。例えば、台所用のリモコン３から「誰か浴室まで来て」とか、「下着を持って来て」とかのメッセージを出力させることもできる。
【００２５】
音声を音声機能制御部２０の音声信号記憶部２３に登録する際には、リモコン３又はリモコン４を介して、特にその操作部４０とディスプレイ３１を介して行う。この場合、まず音声登録モードを設定してから、登録対象の１群の音声を発生させてその音声をマイクロホン３５から入力して記憶させる。次に、登録した登録音声に対応する対応制御を設定する際には、対応制御設定モードに切換えてから、図５に示す複数の対応制御をディスプレイ３１に順次表示させていき、所望の対応制御が表示された時に、ディスプレイ３１上のカーソルと操作部４０のキーを介して所望の対応制御を選択することで設定する。
【００２６】
前記プログラム記憶部２２には、次に列挙するような種々の制御の制御プログラムが予め格納されている。その種々の制御として、（１）音声登録制御（前記のように音声を登録して記憶させる制御）、（２）対応制御設定制御（音声を音声した際にユーザーが対応制御を選択設定する制御）、（３）音声認識制御（リモコン３，４のマイクロホン３５で受信した音声のディジタル音声信号をリモコン３，４から受信し、その音声信号を音声信号記憶部２３に記憶している複数種の登録音声の音声信号と比較判別することで、登録音声に相当する音声が入力されたか否か比較判別する制御）、（４）複数の対応制御（図５に列挙した複数の対応制御）、（５）リモコン３，４間で通話可能とする制御、等々がある。
【００２７】
前記２次電池でバックアップされたＲＡＭからなるワークメモリ部２４には、前記の種々の制御を実行する際に必要な種々のメモリ類が記憶され、また、ユーザーが選択設定した対応制御を特定するデータも記憶される。前記音声信号入出力部２５には、リモコン３，４からディジタルの音声信号を入力する際に音声信号を一時記憶する入力バッファ、リモコン３，４へディジタルの音声信号を出力する際に音声信号を一時記憶する出力バッファ、その他必要な種々の回路が設けられている。尚、音声機能制御部２０が音声認識手段に相当し、演算処理部２１とプログラム記憶部２２が比較判別部に相当し、音声信号記憶部２３が記憶部に相当する。
【００２８】
次に、リモコン３の構成について図３を参照して簡単に説明する。
マイクロコンピュータ３０は、ＣＰＵとＲＯＭとＲＡＭとを有し、そのＲＯＭには、ディスプレイコントラローラ３２や音声コーディック部３６や音声デコーディック部３７を制御する制御プログラム、音声信号の入力や出力の際に音声信号入出力部３３を制御する制御プログラム、操作部４０からの指令信号を制御ユニット２の入出力インターフェイス２６を介して燃焼機制御部１０へ供給する制御プログラムなどが予め入力格納されている。
【００２９】
入出力インターフェイス３４の音声信号入出力部３３は、ディジタルの音声信号を入力する為の入力バッファと、音声信号を出力する為の出力バッファとを有し、マイクロコンピュータ３０からの指令に応じて音声信号の入出力を行う。
マイクロホン３５が何らかの音声を検出すると、音声コーディック部３６でディジタルの音声信号に変換され、マイクロコンピュータ３０は、その音声信号を音声信号入出力部３３を介して音声機能制御部２０の音声信号入出力部２５へ転送する。また、音声機能制御部２０の音声信号入出力部２５からディジタルの音声信号を受けると、その音声信号を音声デコーディック部３７でアナログの音声信号に変換させ、アンプ３８を介してスピーカー３９から音声を出力させる。
尚、前記マイクロコンピュータ３０とマイクロホン３５と音声コーディック部３６が音声を入力する入力手段に相当し、マイクロコンピュータ３０と音声デコーディック部３７とアンプ３８とスピーカー３９が音声を出力する出力手段に相当する。
【００３０】
次に、ガス漏れ警報器の警告音を登録しておき、その登録音声に対応付けて図５の対応制御（ｂ）と（ｈ）を設定しておいた場合に実行される制御について、図６のフローチャートを参照して説明する。尚、フローチャート中の符号Ｓｉ（ｉ＝１，２・・）は各ステップを示す。この制御は常時実行されるもので、この制御が開始されると、ガス漏れ警報器の警告音の音声が読み込みがなされ（Ｓ１）、次にガス漏れ検知か否か判定される（Ｓ２）。この場合、リモコン３，４からの音声信号の読み込み毎に、音声信号記憶部２３に記憶している登録音声の音声信号と比較することで、ガス漏れ警報器の警告音に相当する音声か否か判別する。登録した警告音と同じ音声が読み込まれない間はＳ１，Ｓ２を繰り返し、登録した警告音と同じ音声が読み込まれるとガス漏れの発生が検知される。
【００３１】
次に、燃焼機制御部１０から燃焼機１の燃焼に関わる何らかの制御信号（例えば、バーナーセンサの検出信号や元ガス電磁弁１１の開閉に関する信号）を受けて、燃焼機１が燃焼中か否か判定し（Ｓ３）、その判定がＹｅｓの場合はＳ４において元ガス電磁弁１１を閉弁させる指令を燃焼機制御部１０へ出力して閉弁させ、Ｓ３の判定がＮｏの場合はＳ５へ移行する。Ｓ５では、燃焼機制御部１０へ燃焼機１の運転を停止させる制御信号を出力して運転を停止させる。
【００３２】
こうして、燃焼機１の全ての機器（但し、制御ユニット２を除く）が運転停止状態に切換えられる。次に、Ｓ６においてＳ１と同様にガス漏れの警告音を読み込み、次にＳ７においてＳ２と同様にガス漏れ検知か否か判定し、ガス漏れを検知している間はＳ６、Ｓ７を繰り返し、ガス漏れを検知しなくなった場合には、Ｓ８において燃焼機１の全ての機器をガス漏れ検知前の状態に復帰させる指令を燃焼機制御部１０へ出力して、Ｓ１へリターンし、微小時間おきにＳ１〜Ｓ８を繰り返し実行する。
【００３３】
尚、ガス漏れ警報器の警告音に対応する対応制御として、図５の対応制御（ｂ）と（ｅ）と（ｈ）を設定した場合には、Ｓ４またはＳ５において、ファン駆動モータ１２が最高回転数で駆動され、Ｓ５ではファン駆動モータ１２を回転させたまま燃焼機１の運転が停止される。
このように、ガス漏れ警報機６の警告音と、リモコン３，４を有効活用してガス漏れを検知し、ガス漏れ発生時には燃焼機１の元ガス電磁弁１１を閉弁させ、燃焼機１を運転停止状態に切換えるので、燃焼機１におけるガス漏れが悪化するのを防止し、燃焼機１からのガス漏れに起因する火災発生やガス中毒やガス爆発を確実に防止することができ、燃焼機１に関連する安全性を格段に高めることができる。
【００３４】
次に、火災報知器７の警告音を登録しておき、その登録音声に対応付けて図５の対応制御（ｂ）と（ｅ）と（ｓ）を設定しておいた場合に実行される制御について図６のフローチャートを参照して説明する。この制御は常時実行されるもので、この制御が開始されると、火災報知器７の警告音の音声が読み込みがなされ（Ｓ１０）、次に火災を検知したか否か判定される（Ｓ１１）。この場合、リモコン３，４からの音声信号の読み込み毎に、音声信号記憶部２３に記憶している登録音声の音声信号と比較することで、火災報知器７の警告音に相当する音声か否か判別する。登録した警告音と同じ音声が読み込まれない間はＳ１０，Ｓ１１を繰り返し、登録した警告音と同じ音声が読み込まれると火災の発生が検知される。
【００３５】
次に、燃焼機制御部１０から燃焼機１の燃焼に関わる何らかの制御信号を受けて、燃焼機１が燃焼中か否か判定し（Ｓ１２）、その判定がＹｅｓの場合はＳ１３において元ガス電磁弁１１を閉弁させる指令を燃焼機制御部１０へ出力して閉弁させ、Ｓ１２の判定がＮｏの場合はＳ１４へ移行する。次に、Ｓ１４では、ファン駆動モータ１２を最高回転で駆動させる指令を燃焼機制御部１０へ出力する。これは、この燃焼機１が屋内設置屋外排気型の燃焼機であり、火災により屋内に発生した煙を極力屋外へ排出する為である。
【００３６】
次に、入浴中のユーザーが火災発生を知らずに燃焼機１を通常どおり使用するのを禁止する為に、Ｓ１５においてリモコン４のディスプレイ３１に、「燃焼禁止」と表示させるようにリモコン４に指令する。但し、図５の対応制御（ｋ）も設定してあった場合には、Ｓ１５において台所用リモコン３のディスプレイ３１にも「燃焼禁止」と表示される。
【００３７】
また、図５の対応制御（ｒ）も設定してあった場合には、Ｓ１５において「火災発生、燃焼禁止」のように表示される。次に、Ｓ１６においてはＳ１０と同様に、火災報知器７の警告音の音声が読み込みがなされ、次にＳ１７においては、Ｓ１１と同様に火災を検知したか否か判定し、火災を検知している間はＳ１６，Ｓ１７を繰り返し実行し、火災を検知しなくなったときには、Ｓ１８においてファン駆動モータ１２を停止させる指令を燃焼機制御部１０へ出力する。
次にＳ１９において、リモコン４のディスプレイ３１に表示させた「燃焼禁止」の表示を消去させる指令をリモコン４へ出力し、Ｓ２０では、火災報知前の状態に燃焼機１を復帰させる指令を燃焼機制御部１０へ出力してからＳ１０へリターンし、微小時間おきにＳ１０〜Ｓ２０を繰り返し実行する。
【００３８】
このように、火災報知器７の警告音と、リモコン３，４を有効活用して火災発生を検知し、火災発生時には燃焼機１の元ガス電磁弁１１を閉弁させるため、燃焼機１側のガスによる火災の拡大を確実に防止できる。しかも、火災を検知した際には燃焼機１のファン駆動モータ１２を最高回転数で回転させるので、屋内の煙の排出を促進して、火災発生初期における煙による一酸化炭素中毒や窒息などの被害を確実に軽減することができる。
【００３９】
以上説明した燃焼機の制御システムにおいては、リモコン３，４に音声入力機能と音声出力機能とを設け、音声機能制御部２０に複数種の音声を登録して記憶させるとともに、その登録音声に対応する対応制御を選択設定しておき、その登録音声に相当する音声をリモコン３，４で検出した際に、前記予め設定した対応制御を自動的に行うようにしたので、次のような作用、効果が得られる。
【００４０】
燃焼機１の制御システムに音声に関連する前記のような種々の機能を付加し、ガス漏れ発生時の安全性を高めたり、火災発生時の安全性を高めたり、入浴中における電話機８の呼出しやドアホン５の作動をリモコン３やリモコン４に表示させることができるし、入浴中の老人のペンダントの報知音から老人の心臓発作などをリモコン３に表示させたりすることも可能になる。
【００４１】
ユーザーの必要に応じて音声を登録し、その登録音声に適しユーザーの必要に合致した対応制御を実現可能となるので、多数のユーザーに適合する汎用性に優れたシステムとなる。しかも、この制御システムでは、燃焼機１の制御ユニット２に、複数のリモコン３，４に共通の音声機能制御部２０を設けたため、制御システムの製作費の面でも有利である。ガス漏れ警報器６の警告音や、火災報知器７の警告音を有効活用して、それらに対応する予め設定した必要な対応制御を行わせるため、制御システムの構成を簡単化でき、種々の機種のガス漏れ警報器６や火災報知器７に対する汎用性に優れる。
【００４２】
次に、前記の実施形態を部分的に変更した例について説明する。
図８、図９に示す燃焼機の制御システムにおいては、制御ユニット２Ａに音声機能制御部を設ける代わりに、各リモコン３Ａ，４Ａに音声機能制御部６０を設けてある。その声機能制御部６０は、前記制御ユニット２に設けたものと同様であるので簡単に説明する。そして、前記実施形態における構成要素と同様のものに、同一符号を付して説明を省略する。
【００４３】
図８に示すように、制御ユニット２Ａは、前記と同様の燃焼機制御部１０、演算処理部５１、プログラム記憶部５２、ワークメモリ部５３、音声信号入出力部２５を含む入出力インターフェイス２６などを有する。プログラム記憶部５２には、リモコン３Ａ，４Ａからの指令を燃焼機制御部１０に転送したり、燃焼機制御部１０からの指令をリモコン３Ａ，４Ａに転送したり、音声信号の入出力を実行したり、リモコン３Ａ，４Ａとドアホン５間の信号の授受を行ったり、リモコン３Ａ，４Ａと電話機８との間の信号の授受を行ったりする比較的簡単な種々の制御の制御プログラムが格納されている。
【００４４】
図９に示すように、リモコン３Ａとリモコン４Ａは同様のものであるので、リモコン３Ａを例として説明すると、リモコン３Ａは、前記音声機能制御部２０と同様の音声機能制御部６０を備え、リモコン３Ａはさらに前記リモコン３と同様に、ディスプレイ３１及びディスプレイコントローラ３２、マイクロホン３５及び音声コーディック３６、音声デコーディック３７、アンプ３８、スピーカー３９、操作部４０を有する。尚、音声機能制御部６０が音声認識手段に相当し、演算処理部６１とプログラム記憶部６２が比較判別部に相当し、音声信号記憶部６３が記憶部に相当する。
【００４５】
前記音声機能制御部６０は、演算処理部６１、プログラム記憶部６２、音声信号記憶部６３、ワークメモリ部６４、音声信号入出力部３３を含む入出力インターフェイス３４などで構成されている。これらは、前記の音声機能制御部２０における対応するものと同様であるので、説明を省略する。この変更形態の燃焼機の制御システムで達成される機能は、前記実施形態の制御システムで達成される機能と同様である。そのため、この制御システムによれば、前記制御システムとほぼ同様の作用、効果が得られる。そして、リモコン３Ａ，４Ａに音声機能制御部６０を装備したので、制御システムの主要部（音声機能に関連する部分）をリモコン３Ａ，４Ａのみで完結することができるから既存の燃焼機にも適用可能で汎用性に優れる。
【００４６】
以上説明した実施の形態は、本発明の一例を示すものに過ぎず、当業者であれば、本発明の趣旨を逸脱することなく、種々の変更を付加した形態で実施することができる。例えば、燃焼機１は給湯用のものに限定されず、暖房用の燃焼機であっても又はその他の用途の燃焼機であってもよい。また、リモコン３，４又は３Ａ，４Ａは、燃焼機１の制御ユニット２又は２Ａに有線で接続する代わりに、無線方式で信号授受可能に接続してあってもよい。
【００４７】
【発明の効果】
請求項１の発明によれば、リモコンに記憶部と比較判別部とを含む音声認識手段と複数種の対応制御の制御プログラムを格納した記憶手段とを設け、リモコンの入力手段から予め少なくとも火災報知器の警告音、ガス漏れ警報器の警告音、ドアホンの音、電話機の呼出し音のうちから選択される複数種の音声を入力し、その複数種の音声をリモコンに登録して予め音声認識手段の記憶部に記憶させ、その登録音声に相当する音声の入力時にリモコン側や燃焼機側で行う１又は複数の対応制御をユーザーが設定できるように構成したので、入力手段から入力された音声が記憶部に記憶している登録された音声と比較して登録音声に相当する音声であることを音声認識手段の比較判別部により比較判別し、登録音声の入力と判別した際には、予め設定された１又は複数の対応制御をリモコン又は制御ユニットに自動的に実行させることができる。
しかも、記憶部と比較判別部とを含む音声認識手段と、複数種の対応制御の制御プログラムを格納した記憶手段などの音声機能に関連する部分をリモコンに装備するため、既存の燃焼機にも適用可能で汎用性に優れる。
【００４８】
例えば、ガス漏れ警報器の警告音を登録しておき、その警告音を入力した時に燃焼機の元ガス弁を閉弁させたり燃焼機の運転を停止させるとか、火災報知器の警告音を登録しておき、その警告音を入力した時に燃焼機の運転を停止させたりする等、燃焼機のリモコンを有効活用して、種々の有用な制御を行うことができる。音声を有効活用して対応制御を行わせるため、信号線で接続する場合と比較して回路や制御システムの構成を簡単化したり、多数のユーザーに適合させ易く汎用性に優れ、ユーザーにとり設定の自由度の高い制御システムにすることができる。
【００４９】
そして、各登録音声に相当する音声の入力時にリモコン側又は燃焼機側で行う対応制御をユーザーが設定できるため、ユーザーの個々の状況に適した対応制御を設定することができるから、多数のユーザーに適した汎用性に優れたものとなる。
【００５０】
請求項２の発明によれば、燃焼機を制御する制御ユニットに、音声信号の記憶部と比較判別部とを含む音声認識手段と複数種の対応制御の制御プログラムを記憶した記憶手段を設けた点で請求項１と相違しているけれども、基本的には請求項１とほぼ同様の機能と作用効果が得られる。しかも、この制御システムでは、燃焼機を制御する制御ユニットに音声認識手段を設けるので、請求項１のリモコンと比較してリモコンの構成を簡単化することができ、１台の燃焼機に複数のリモコンを装備する場合に製作費の面で有利である。
【００５１】
そして、各登録音声に相当する音声の入力時にリモコン側又は燃焼機側で行う対応制御をユーザーが設定できるように構成したので、請求項１と同様に、ユーザーの個々の状況に適した対応制御を設定することができるから、多数のユーザーに適し汎用性に優れ、ユーザーにとり設定の自由度の高い制御システムとなる。
【００５２】
【００５３】
請求項３の発明によれば、複数種の対応制御が、火災報知器の警告音がリモコンを介して前記制御ユニットに入力された際の対応制御として、その制御ユニットが燃焼機のファンを作動させ且つファン以外の燃焼機の運転を停止させる制御を含むので、火災検知時に燃焼機のファンを作動させて屋内の煙を屋外へ排出させることも可能になり、また、ファン以外の燃焼機の運転を停止させるため、燃焼機側のガスで火災が悪化するのを防止することも可能になる。
【００５４】
請求項４の発明によれば、複数種の対応制御が、ガス漏れ警報器の警告音がリモコンを介して前記制御ユニットに入力された際の対応制御として、その制御ユニットが燃焼機の運転を停止させる制御を含むので、ガス漏れ検知時に、燃焼機の運転を停止させて、燃焼機から一層のガス漏れが生じるのを確実に防止することが可能になる。
【図面の簡単な説明】
【図１】本発明の実施形態に係る燃焼機の制御システムの全体構成図である。
【図２】制御ユニットの構成を示すブロック図である。
【図３】リモコンの構成を示すブロック図である。
【図４】登録音声の例を示す図表である。
【図５】登録音声への対応制御の例を示す図表である。
【図６】ガス漏れ警告音を検知時の対応制御のフローチャートである。
【図７】火災発生警告音を検知時の対応制御のフローチャートである。
【図８】変更形態に係る制御ユニットの構成を示すブロック図である。
【図９】図８と同じ変更形態に係るリモコンの構成を示すブロック図である。
【符号の説明】
1           燃焼機
２，２Ａ    制御ユニット
３，４      リモコン
３Ａ，４Ａ  リモコン
５          ドアホン
６          ガス漏れ警報器
７          火災報知器
８          電話機
１０        燃焼機制御部
２０        音声機能制御部
２２        プログラム記憶部
２３        音声信号記憶部
３５        マイクロホン
３６        音声コーディック部
６０        音声機能制御部
６２        プログラム記憶部
６３        音声信号記憶部
【図１】
0003712044.tif 000002
【図２】
0003712044.tif 000003
【図３】
0003712044.tif 000004
【図４】
0003712044.tif 000005
【図５】
0003712044.tif 000006
【図６】
0003712044.tif 000007
【図７】
0003712044.tif 000008
【図８】
0003712044.tif 000009
【図９】
0003712044.tif 000010